(57)【要約】【課題】傾斜地に設置される防音壁に防音パネルを容易に設置でき、安定した設置状態を確保し、かつ防音パネルの製造コストを抑える。【解決手段】所定の間隔で設置された支柱（３）間に挿入され、両側端部（５５）が支柱に支持されることにより防音壁を構築する防音パネル（４）であって、挿入方向に対向する一方の端部辺が他方の端部辺よりも長く、一方の端部辺と他方の端部辺とを結ぶ両側端部の側端部辺のうち少なくとも一方の側端部辺が、一方の端部辺から他方の端部辺に向かって他方の側端部辺側に傾斜している。【選択図】図３
2019090231.tif 000002
【特許請求の範囲】
【請求項１】
所定の間隔で設置された支柱間に挿入され、両側端部が前記支柱に支持されることにより防音壁を構築する防音パネルであって、
挿入方向に対向する一方の端部辺が他方の端部辺よりも長く、
前記一方の端部辺と前記他方の端部辺とを結ぶ前記両側端部の側端部辺のうち少なくとも一方の側端部辺が、前記一方の端部辺から前記他方の端部辺に向かって他方の側端部辺側に傾斜している
ことを特徴とする防音パネル。
【請求項２】
騒音源に面する前壁部と、
前記前壁部に対して所定の間隔を置いて当該前壁部の背面側に設けられた背壁部と、
前記前壁部と前記背壁部との間に設けられて前記側端部を形成する一対の側壁部と、
を備え、
少なくとも一方の前記側壁部は、前記前壁部及び前記背壁部から部分的に側方に突出し、前記一方の端部辺から前記他方の端部辺に向かって前記前壁部及び前記背壁部との間に進入している
ことを特徴とする請求項１に記載の防音パネル。
【請求項３】
各端部辺の中心を通る直線に対して線対称に形成されていることを特徴とする請求項１又は２に記載の防音パネル。
【請求項４】
請求項１から３までのいずれか一項に記載の防音パネルと、
前記防音パネルが挿入される所定の間隔で設置された複数の支柱と、
前記複数の支柱が立設された基礎部と
を備え、
前記基礎部は、一方の前記支柱から他方の前記支柱に向かって傾斜した勾配部を有する
ことを特徴とする防音壁。
【発明の詳細な説明】
【技術分野】
【０００１】
本発明は、所定の間隔で設置された支柱間に挿入される防音パネル及び当該防音パネルを備える防音壁に関する。
【背景技術】
【０００２】
道路や線路を走行する車両や工場等の騒音源から発せられる騒音の拡散を抑えるために、騒音源の脇に防音壁が設置されている。
防音壁は、例えば、Ｈ形鋼等からなる支柱間に、複数枚の防音パネルを嵌め込んで積み重ねることにより構築される。
防音パネルは、正面板、背面板及び側面板を、縦断面形状が平行四辺形となるように組み合わせて箱状に形成し、背面板から正面板に向かうにつれて上り傾斜を有するパネル本体内の空間に吸音材が収容されている。防音パネルは、騒音源に面する正面板にルーバーを形成することにより、パネル本体内に伝達された騒音を吸音材で吸収することができるようになっている（例えば、特許文献１参照。）。
【先行技術文献】
【特許文献】
【０００３】
【特許文献１】特開２０１３−１２４４８３号公報
【発明の概要】
【発明が解決しようとする課題】
【０００４】
ところで、防音壁は、平坦地（水平部）に設置するだけでなく、傾斜地に設置することがある。例えば、勾配が３％を超えた傾斜地に防音壁１００を設置する場合、図９に示すように、Ｈ形鋼の支柱Ｐへの挿入時に防音パネル１１０の四隅の角部のいずれかが支柱Ｐに接触して防音パネル１１０の挿入が阻害されることがあり、挿入作業が困難になっていた。
また、防音パネル１１０を防音壁１００の基礎部２００にまで挿入したとしても、防音パネル１１０の四隅の角部が支柱Ｐに接触したままでの挿入となり、防音パネル１１０が支柱Ｐとの接触により変形するおそれがある。防音パネル１１０が変形しないまでも、支柱Ｐに接触した状態において引き続き挿入作業を続けると、基礎部２００と防音パネル１１０との間に隙間ができ、支柱Ｐにおける防音パネル１１０の設置状態が安定しないことがある。
したがって、傾斜地における防音壁１００には、傾斜地の勾配に合わせた防音パネルを別途、製造しなければならず、防音パネルの製造コストの増大に繋がっていた。
【０００５】
そこで、本発明は、上記課題に鑑みてなされたものであり、傾斜地に設置される防音壁に容易に設置でき、安定した設置状態を確保し、かつ製造コストを抑えた防音パネル、及び当該防音パネルを備えた防音壁を提供することを目的とする。
【課題を解決するための手段】
【０００６】
上記課題を解決するために、本発明は、所定の間隔で設置された支柱間に挿入され、両側端部が前記支柱に支持されることにより防音壁を構築する防音パネルであって、挿入方向に対向する一方の端部辺が他方の端部辺よりも長く、前記一方の端部辺と前記他方の端部辺とを結ぶ前記両側端部の側端部辺のうち少なくとも一方の側端部辺が、前記一方の端部辺から前記他方の端部辺に向かって他方の側端部辺側に傾斜していることを特徴とする。
【０００７】
また、騒音源に面する前壁部と、前記前壁部に対して所定の間隔を置いて当該前壁部の背面側に設けられた背壁部と、前記前壁部と前記背壁部との間に設けられて前記側端部を形成する一対の側壁部と、を備え、少なくとも一方の前記側壁部は、前記前壁部及び前記背壁部から部分的に側方に突出し、前記一方の端部辺から前記他方の端部辺に向かって前記前壁部及び前記背壁部との間に進入していることが好ましい。
【０００８】
また、各端部辺の中心を通る直線に対して線対称に形成されていることが好ましい。
【０００９】
上記課題を解決するために、本発明は、防音壁であって、防音パネルと、前記防音パネルが挿入される所定の間隔で設置された複数の支柱と、前記複数の支柱が立設された基礎部とを備え、前記基礎部は、一方の前記支柱から他方の前記支柱に向かって傾斜した勾配部を有することを特徴とする。
【発明の効果】
【００１０】
本発明によれば、傾斜地に設置される防音壁に容易に設置でき、安定した設置状態を確保し、かつ製造コストを抑えることができる。
【図面の簡単な説明】
【００１１】
【図１】傾斜地に構築された防音壁を示す図である。
【図２】防音パネルを側方から見た部分透視図である。
【図３】防音パネルの正面図である。
【図４】防音パネルの背面図である。
【図５】防音パネルの側端部を上方から見た図である。
【図６】防音パネルの側壁部の構成を説明するための図である。
【図７】防音パネルの設置方法を説明するための図である。
【図８】防音パネルの側端部の拡大図である。
【図９】従来の防音パネルの設置方法を示す図である。
【発明を実施するための形態】
【００１２】
本発明の好ましい実施の形態について、図面を参照しながら説明する。なお、以下に示す実施の形態は一つの例示であり、本発明の範囲において、種々の形態をとり得る。
【００１３】
＜防音壁の構成＞
図１は、傾斜地に構築された防音壁を示す図である。図２は、防音パネルを側壁部側から見た部分的な透視側面図である。図３は、防音パネルを前壁部側から見た正面図である。図４は、防音パネルを背壁部側から見た背面図である。図５は、防音パネルの側端部を上方から見た図である。図６は、防音パネルの側壁部の構成を説明するための図であり、（ａ）は、側壁部の平面図であり、（ｂ）は、側壁部の底面図であり、（ｃ）は、側壁部の前面部の正面図であり、（ｄ）は、側壁部の背面部の正面図であり、（ｅ）は、側壁部の側面部の正面図である。
なお、図中、防音壁１の延在方向及び防音パネルの長手方向（幅方向ともいう。）を「Ｌ」とし、高さ方向を「Ｈ」とし、厚さ方向を「Ｗ」とする。
【００１４】
図１に示すように、防音壁１は、所定の勾配（例えば、６％）を有する傾斜地に設置されており、道路や線路上を走行する車両の騒音源からの騒音の拡散を抑えるために用いられるものであり、騒音源の脇に設置されている。防音壁１は、基礎部２と、支柱３と、防音パネル４と、を備えている。
【００１５】
［基礎部］
基礎部２は、傾斜地に構築されて、防音壁１の設置面から所定の高さだけ延在している、いわゆる壁高欄である。防音壁１において最下段に配置される防音パネル４が接触する部分に、基礎部２は傾斜地の勾配に平行な勾配部２１を有する。勾配部２１は、防音壁１において最下段に位置する防音パネル４が接触する部分である。
なお、本実施の形態においては、基礎部２に支柱３が立設されているが、道路等の地盤に直接立設してもよい。この場合、地盤が基礎部となる。
【００１６】
［支柱］
支柱３は、Ｈ形鋼で構成されており、所定の間隔、具体的には、防音パネル４の幅に相当する間隔をあけて基礎部２に複数立設されている。
図５に示すように、支柱３は、互いに平行な一対のフランジ部３１，３２と、当該フランジ部３１，３２を連結するウェブ部３３とを有する。フランジ部３１は、例えば、道路側を臨んでおり、フランジ部３２は、道路とは反対側を臨んでいる。
【００１７】
［防音パネル］
図１に示すように、防音パネル４は、隣接する支柱３の間に設けられており、長手方向Ｌの両側端部が支柱３によって支持されている。防音パネル４は、支柱３の高さ方向Ｈに沿って複数段にわたって積み重ねられている。
図２に示すように、防音パネル４は、本体部５と、吸音材６と、を備えている。
【００１８】
（本体部）
本体部５は、吸音材６を収容するものであり、例えば、合金めっき鋼板から形成されている。本体部５は、正面視逆台形状に形成されており、高さ方向Ｈにおいて上側の上端部辺の長手方向Ｌにおける長さ寸法が、下側の下端部辺の長手方向Ｌにおける長さ寸法よりも長く形成されている。
本体部５の上端部辺と下端部辺とを高さ方向Ｈに繋ぐ一対の側端部辺は、上端部辺から下端部辺に向けて本体部５の中央部に向かって傾斜しており、換言すれば、一方の側端部辺が他方の側端部辺に接近するように延在している。
【００１９】
本体部５は、吸音材６の正面（例えば、道路を臨む側）側に配置された前壁部５１と、背面（正面側とは反対側の面）側に配置される背壁部５２と、上壁部５３と、下壁部５４と、前壁部５１及び背壁部５２の長手方向Ｌの端部に配置された一対の側壁部（側端部）５５と、を有している。
本体部５は、前壁部５１と、背壁部５２と、上壁部５３と、下壁部５４と、側壁部５５とによって、吸音材６を収容する空間を画成している。
【００２０】
前壁部５１は、吸音材６の正面に沿って延びている。アルミニウムにより形成されている。図２及び図４に示すように、前壁部５１は、吸音材６の主面に対して略平行に延在している部分であり、ルーバー５１ａが形成されている。
【００２１】
図２及び図４に示すように、背壁部５２は、吸音材６の背面に沿って延びている。背壁部５２は、吸音材６の少なくとも厚さだけ前壁部５１に対して離間されている。
背壁部５２は、主面部５２ａと、屈曲部５２ｂと、を有している。
【００２２】
主面部５２ａは、吸音材６の主面に対して略平行に延在している部分であり、高さ方向Ｈに屈曲部５２ｂを挟んで２つ設けられている。
屈曲部５２ｂは、高さ方向Ｈにおいて、背壁部５２の中央部付近に主面部５２ａから吸音材６に向かって屈曲して加工された部分である。屈曲部５２ｂは、防音パネル４の長手方向Ｌに沿って背壁部５２の一端から他端まで延在している。
屈曲部５２ｂは、背壁部５２の主面部５２ａから本体部５の内側に向かって斜め下方に延出する傾斜部５２ｃと、斜め上方に延在する傾斜部５２ｄと、両傾斜部５２ｃ，５２ｄを連結する連結部５２ｅとを備えている。連結部５２ｅは、背壁部５２の主面部５２ａに対して平行に延在していて、吸音材６の背面側から吸音材６に当接して吸音材６を背面側から支持している。
【００２３】
図２に示すように、上壁部５３及び下壁部５４は、背壁部５２から前壁部５１に向かってそれぞれ高さ方向Ｈにおいて上方に傾斜している。上壁部５３は、その先端部が下方に向けて折り曲げられて吸音材６の正面の面方向に対してほぼ平行に延びている。また、防音パネル４の長手方向Ｌにおいて上壁部５３の両端部には、後述する脱落防止用のワイヤー（図示せず。）が挿通するための切り欠き５３ａが形成されている（図５参照。）。
【００２４】
下壁部５４は、その先端部が下方に向けて折り曲げられており、吸音材６の正面の面方向に対してほぼ平行に延びている。また、防音パネル４の長手方向Ｌにおいて下壁部５４の両端部には、ワイヤーが挿通するための切り欠きが形成されている。
【００２５】
図３〜図５に示すように、側壁部５５の前面部５５ａ及び背面部５５ｂは、高さ方向Ｈにおいてその上側部分が前壁部５１と背壁部５２との間から長手方向Ｌの側方に部分的に突出している。前面部５５ａ及び背面部５５ｂの前壁部５１と背壁部５２との間から突出した部分は、高さ方向Ｈにおいて上側から下側に向かって前壁部５１と背壁部５２との間に入り込んでいる。
前面部５５ａ及び背面部５５ｂは、前壁部５１及び背壁部５２と側壁部５５とが長手方向Ｌに沿って重なり合う部分で高さ方向Ｈにおいて複数箇所、例えば、リベット等により取り付けられている。
【００２６】
図５に示すように、側壁部５５は、防音パネル４の長手方向Ｌにおいて本体部５の両側端部にそれぞれ設けられていて、前壁部５１と背壁部５２との間に配置されている。
各側壁部５５は、横断面視Ｕ字状に形成された板状の部材であり、防音パネル４の高さ方向Ｈにわたって延在している。側壁部５５は、金属製であり、例えば、合金めっき鋼板から形成されている。
【００２７】
側壁部５５における側面部５５ｃの高さ方向Ｈにおいて中心よりも上側には孔５５ｈが形成されている（図６（ｅ）参照。）。孔５５ｈにはアイボルトＢが挿通されて側壁部５５に取り付けられている。アイボルトＢには、防音壁１の支柱３間に高さ方向Ｈにおいて積み重ねられる防音パネル４同士を繋ぐワイヤロープ（図示せず。）が挿通される。
【００２８】
防音パネル４の両端部に設けられている側壁部５５は、それぞれ同じ形状を有しているため防音パネル４は左右対称に形成されている。両側壁部５５において高さ方向Ｈに延在する前面部５５ａ及び背面部５５ｂの縁（側端部辺）は、それぞれ上側の端部辺、及び下側の端部辺に対して上方から下方に向かって対向する側壁部５５に接近するように等しく傾斜している。つまり、防音パネル４は、上下の各端部辺の中心を通る直線に対して線対称に形成されている。
【００２９】
図６（ａ）、（ｂ）に示すように、側壁部５５は、前壁部５１に対して平行に延びる前面部５５ａと、背壁部５２に対して平行に延びる背面部５５ｂと、厚さ方向Ｗに延びて本体部５の側方を覆う側面部５５ｃとを備え、平面視Ｕ字形状を有する。前面部５５ａと背背面部５５ｂとは、側面部５５ｃの厚さ方向Ｗの両端から同じ方向に立設されている。
【００３０】
図６（ｃ）に示すように、前面部５５ａは、側面部５５ｃとは反対側の縁部（側端部辺）が上端部から下端部に向かって、側面部５５ｃに接近するように延在している。つまり、側壁部５５の前面部５５ａの長手方向Ｌに沿った寸法は、高さ方向Ｈに沿って連続的に変化しており、具体的には、上端部から下端部に向かって連続的に小さくなっている。
例えば、上端部における前面部５５ａの長手方向Ｌの寸法は、下端部における前面部５５ａの長手方向Ｌの寸法に対して１．３．〜１．５倍であり、特に１．４倍であることが好ましい。
【００３１】
図６（ｄ）に示すように、背面部５５ｂは、背壁部５２の屈曲部５２ｂを避けるようにして高さ方向Ｈにおいて２つに分断されている。つまり、側壁部５５は、高さ方向Ｈにおいて上側の背面部５５ｂｕと、下側の背面部５５ｂｄとを有している。２つの背面部５５ｂｕ，５５ｂｄは、互いに大きさは異なるが相似の関係にある。２つの背面部５５ｂｕ，５５ｂｄは、互いに背壁部５２の屈曲部５２ｂを避ける程度に離間されている。
【００３２】
各背面部５５ｂｕ，５５ｂｄは、側面部５５ｃとは反対側の縁部（側端部辺）が上端部から下端部に向かって、側面部５５ｃに接近するように延在している。つまり、側壁部５５の背面部５５ｂｕ，５５ｂｄの長手方向Ｌに沿った寸法は、高さ方向Ｈに沿って連続的に変化しており、具体的には、上端部から下端部に向かって連続的に小さくなっている。この関係は、背面部５５ｂを、２つの背面部５５ｂｕ，５５ｂｄとしてではなく、１つの背面部５５ｂとして見た場合にも当然に当てはまる。
例えば、上端部における背面部５５ｂｕの長手方向Ｌの寸法は、下端部における背面部５５ｂｄの長手方向Ｌの寸法に対して１．３．〜１．５倍であり、特に１．４倍であることが好ましい。
【００３３】
図６（ｅ）に示すように、側面部５５ｃは、高さ方向Ｈにおいて背壁部５２の延在形状に対応した形状を有している。具体的には、側面部５５ｃは、背面部５５ｂ側に背壁部５２の屈曲部５２ｂの形状に沿って切り欠かれた切り欠き部７を有する。
側面部５５ｃの切り欠き部７は、その縁部に沿って、つまり、背壁部５２の傾斜部５２ｃ，５２ｄ及び連結部５２ｅに沿うようにして複数の壁部７１，７２，７３が立設されている（図６（ｄ）参照。）。
【００３４】
側壁部５５は、背壁部５２の屈曲部５２ｂの形状に合わせて、背面部５５ｂを２つに分断したり、側面部５５ｃに切り欠き部７を設けたりすることで、背壁部５２の屈曲部５２ｂの存在に側壁部５５の設置が妨げられないようにすることができる。
【００３５】
（吸音材）
図４に戻って示すように、吸音材６は、本体部５に収容されている。吸音材６は、防音パネル４のユニットの大きさに合わせて、例えば、平面視矩形状に形成された板状の部材である。吸音材６は、正面側が敷地内に面するように配置される。
吸音材６は、例えば、ポリエステル、グラスウール等の繊維材や、ウレタン等の樹脂から形成されたスポンジ材や、内部に綿や羽毛が詰められたクッション材により、又はこれらの組み合わせにより形成されている。
【００３６】
＜防音パネルの設置＞
次に、図７及び図８を用いて支柱３間への防音パネル４の設置について説明する。図７は、傾斜地における防音壁への防音パネルの設置について説明するための図である。図８は、防音パネルの側壁部を部分的に拡大した拡大図である。
【００３７】
防音壁１を傾斜地に構築する場合、防音パネル４を設置する基礎部２の勾配部２１は、傾斜地にほぼ平行になっている。つまり、勾配部２１は、水平面に対して所定の角度を成している。
【００３８】
傾斜地に構築される防音壁に従来の矩形状の防音パネルを用いる場合、傾斜地の勾配に合わせて防音パネルを傾けて支柱間に落とし込んでいく（挿入していく）。しかし、この場合、例えば、図９に示すように、防音パネル１１０の左上の角部及び右下の角部が支柱Ｐに接触することがある。防音パネル１１０と支柱Ｐとの接触により、防音パネル１１０の支柱Ｐへの落とし込みが阻害され、防音壁１００に防音パネル１１０を適切に設置することができなくなる。
【００３９】
これに対して、防音パネル４は、本体部５の長手方向Ｌにおける両側端に設けられた側壁部５５の一方の側端部が高さ方向Ｈにおいて上方から下方に向かって他方の側壁部５５に接近するように傾斜している。
かくして、傾斜地の勾配に合わせて防音パネル４を傾けて支柱３間に挿入しても、側壁部５５の狭められた幅の量だけ防音パネル４を支柱３のウェブ部３３側に寄せるので、例えば、防音パネル４の左上の角部と支柱３のウェブ部３３とが接触することを防ぐことができるとともに、防音パネル４の右下部分と支柱３のウェブ部３３とが接触することを防ぐことができる。
防音パネル４は、傾斜地における防音壁１への設置時であっても、当該防音パネル４の下壁部５４と基礎部２の勾配部２１との間に隙間が形成されることなく支柱３間に設置することができる。つまり、傾斜地に構築される防音壁１において防音パネル４の下壁部５４が基礎部２の勾配部２１に面接触するまで防音パネル４を落とし込むことができる。
また、設置された防音パネル４の上壁部５３と、積み重ねられる防音パネル４の下壁部５４とが面接触して間に隙間が形成されることなく、防音パネル４を積み重ねていくことができる。
【００４０】
側壁部５５を部分的に前壁部５１と背壁部５２との間から側方に突出させて、防音パネル４の上側の端部辺、及び下側の端部辺の長さを調整して傾斜地に構築される防音壁１に対応させている。これにより、前壁部５１及び背壁部５２の長手方向Ｌにおける側方部分を加工する必要がなく、側壁部５５のみを加工するだけであり、防音パネル４において加工する部材点数を抑えることができる。
【００４１】
防音パネル４は、上下の各端部辺の中心を通る直線に対して左右対称に形成されているので、勾配の向きに関係なく前壁部５１を道路側に向けた状態で支柱３間に落とし込むだけでよく防音壁１の施工効率が向上する。
また、防音パネル４は、長手方向Ｌにおける寸法が小さい下端部側（下壁部５４側）から支柱３間に挿入するようになるので、支柱３間への防音パネル４の挿入がより容易にもなる。
【００４２】
防音パネル４は、例えば、６％までの勾配を有する傾斜地に構築される防音壁１に使用することができる。勾配に応じた防音パネルをその都度製造する必要がなくなるので、種々の勾配を有する傾斜地に構築される防音壁に対して防音パネル４を使用することができ、製造コストを抑えることができる。
【００４３】
＜その他＞
なお、本発明は、上記の実施の形態に限られるものではなく、本発明の範囲を超えない範囲で適宜変更が可能である。例えば、防音パネル４が、傾斜地に構築される防音壁１の支柱３間に当該支柱に３に接触することなく設置することができるのであれば、側壁部５５は、防音パネル４の一方の側端部に設けられているだけでもよい。
この場合、防音パネル４の他方の側端部に設けられる側壁部の、長手方向Ｌにおける前面部及び背面部の幅寸法は、側壁部５５とは異なり、高さ方向Ｈにわたって変化することはない。つまり、他方の側端部に設けられる側壁部は、高さ方向Ｈにおいて一貫して同じ幅寸法を有しており、前面部及び背面部はそれぞれ矩形状を有している。
【００４４】
また、長手方向Ｌにおけるフランジ部３２の幅寸法が１７５ｍｍ以上であることが好ましい。これにより、防音パネル４を支柱３間に設置した場合であっても、側壁部５５において前面部５５ａ及び背面部５５ｂの側面部５５ｃとは反対側の縁は支柱３のフランジ部３２の幅寸法内に位置するようになる。つまり、例えば、防音壁１を前壁部５１側から見た場合に、防音パネル４と支柱３との間に隙間は形成されておらず、防音パネル４の側壁部５５は、支柱３において確実に支持されている。
【符号の説明】
【００４５】
１  防音壁
２  基礎部
２１  勾配部
３  支柱
４  防音パネル
５  本体部
５１  前壁部
５２  背壁部
５３  上壁部
５４  下壁部
５５  側壁部（側端部）
６  吸音材
【図１】
2019090231.tif 000003
【図２】
2019090231.tif 000004
【図３】
2019090231.tif 000005
【図４】
2019090231.tif 000006
【図５】
2019090231.tif 000007
【図６】
2019090231.tif 000008
【図７】
2019090231.tif 000009
【図８】
2019090231.tif 000010
【図９】
2019090231.tif 000011